(57)【要約】【課題】洗面所やトイレ等にて使用される手乾燥装置において、水受け部表面の加工処理のみで大きな構造上の変更の必要が無く、手から飛ばされた水滴が前記水受け部に付着した後、前記水受け部より再度飛びちることを防止できる手乾燥装置を提供することを目的とする。【解決手段】本体内部に設けた送風装置１及び発熱体２からなる温風発生手段３と、前記温風発生手段３からの温風を送出する送出ノズル４と、前記送出ノズル４下部に手挿入部５と、前記手挿入部５の奥側から下部に至る水受け部６を有し、前記水受け部６に親水性の表面処理をし、手から飛ばされた水滴が前記水受け部６に付着した場合は親水性により水滴にならず、前記水受け部６より再度飛びちることを防止でき、構造上の大きな変更はなく、コストをおさえることができる手乾燥装置７を得られる。【選択図】図１
2006247019.tif 000002
【特許請求の範囲】
【請求項１】
本体内部に設けた送風装置及び発熱体からなる温風発生手段と，この温風発生手段からの温風を送出する送出ノズルと，前記送出ノズル下部に手挿入部と，前記手挿入部の奥側から下部に至る水受け部を有し，前記水受け部表面の加工処理のみで大きな構造上の変更が無く，手から飛ばされた水滴が前記水受け部に付着した後，前記水受け部より再度飛びちることを防止できる手乾燥装置。
【請求項２】
本体内部に設けた送風装置及び発熱体からなる温風発生手段と，この温風発生手段からの温風を送出する送出ノズルと，前記送出ノズル下部に手挿入部と，前記手挿入部の奥側から下部に至る水受け部を有し，前記水受け部に親水性の表面処理をした請求項１記載の手乾燥装置。
【請求項３】
本体内部に設けた送風装置及び発熱体からなる温風発生手段と，この温風発生手段からの温風を送出する送出ノズルと，前記送出ノズル下部に手挿入部と，前記手挿入部の奥側から下部に至る水受け部を有し，前記水受け部の表面に吸水性ポリマーの付着処理をした請求項１記載の手乾燥装置。
【請求項４】
手挿入部奥側の水受け部を親水性の表面処理をした鏡とし，鏡に映った手の乾燥状態を確認することができる請求項１あるいは２記載の手乾燥装置。
【発明の詳細な説明】
【技術分野】
【０００１】
本発明は、洗面所やトイレ等にて手を洗い、濡れた手を温風にて乾燥させる手乾燥装置に関する。
【背景技術】
【０００２】
従来、この種の手乾燥装置は、高速風によって吹き飛ばされる手に付着した水が周囲へ飛散することを防止するために、飛散した水を吸引する飛散防止手段が知られていた（例えば特許文献１参照）。
【０００３】
以下、その手乾燥装置について図４を参照しながら説明する。
【０００４】
図に示すように、手乾燥装置１０１は本体内部に設けた送風装置１０２及び発熱体１０３からなる温風発生手段１０４と、前記温風発生手段１０４からの温風を送出する送出ノズル１０５と、前記送出ノズル１０５下部に手挿入部１０６と、前記手挿入部１０６の奥側から下部に至る水受け部１０７と、前記水受け部１０７に吸引口１０８と、前記吸引口１０８から吸引を行うための飛散防止駆動手段１０９を有し、高速風によって吹き飛ばされる手に付着した水を吸引し、周囲へ飛散することを防止するものである。
【特許文献１】特開２００２−３６０４６４号公報（段落番号００２５、図１）
【発明の開示】
【発明が解決しようとする課題】
【０００５】
このような従来の手乾燥装置の方法では、吸引口や飛散防止駆動手段を付加するための構造が大きくなり複雑で、コストがかかるという課題があった。
【０００６】
本発明は、上記従来の課題を解決するもので、本体内部に設けた送風装置及び発熱体からなる温風発生手段と、この温風発生手段からの温風を送出する送出ノズルと、前記送出ノズル下部に手挿入部と、前記手挿入部の奥側から下部に至る水受け部を有し、前記水受け部表面の加工処理のみで大きな構造上の変更の必要が無く、手から飛ばされた水滴が前記水受け部に付着した後、前記水受け部より再度飛びちることを防止できる手乾燥装置を提供することを目的としている。
【課題を解決するための手段】
【０００７】
本発明の手乾燥装置は、上記目的を達成するために、本体内部に設けた送風装置及び発熱体からなる温風発生手段と、この温風発生手段からの温風を送出する送出ノズルと、前記送出ノズル下部に手挿入部と、前記手挿入部の奥側から下部に至る水受け部を有し、前記水受け部表面の加工処理のみで大きな構造上の変更が無く、手から飛ばされた水滴が前記水受け部に付着した後、前記水受け部より再度飛びちることを防止したものである。
【０００８】
この手段により手から飛ばされた水滴が前記水受け部に付着した場合は再度飛びちることを防止できる手乾燥装置が得られる。
【０００９】
また、本体内部に設けた送風装置及び発熱体からなる温風発生手段と、この温風発生手段からの温風を送出する送出ノズルと、前記送出ノズル下部に手挿入部と、前記手挿入部の奥側から下部に至る水受け部を有し、前記水受け部に親水性の表面処理をしたものである。
【００１０】
この手段により手から飛ばされた水滴が前記水受け部に付着した場合は親水性により水滴にならず、前記水受け部より再度飛びちることを防止でき、構造上の変更はなく、コストをおさえることができる手乾燥装置が得られる。
【００１１】
また、本体内部に設けた送風装置及び発熱体からなる温風発生手段と、この温風発生手段からの温風を送出する送出ノズルと、前記送出ノズル下部に手挿入部と、前記手挿入部の奥側から下部に至る水受け部を有し、前記水受け部の表面に吸水性ポリマーの付着処理をしたものである。
【００１２】
この手段により手から飛ばされた水滴が前記水受け部に付着した場合は吸水性ポリマーにより吸収され水滴にならず、前記水受け部より再度飛びちることを防止でき、構造上の変更はなく、コストをおさえることができる手乾燥装置が得られる。
【００１３】
また、手挿入部奥側の水受け部を親水性の表面処理をした鏡としたものである。
【００１４】
この手段により鏡に映った手の乾燥状態を確認することができる手乾燥装置が得られる。
【発明の効果】
【００１５】
本発明によれば、本体内部に設けた送風装置及び発熱体からなる温風発生手段と、この温風発生手段からの温風を送出する送出ノズルと、前記送出ノズル下部に手挿入部と、前記手挿入部の奥側から下部に至る水受け部を有し、前記水受け部表面の加工処理のみで大きな構造上の変更が無く、手から飛ばされた水滴が前記水受け部に付着した後、前記水受け部より再度飛びちることを防止できる手乾燥装置が提供できる。
【００１６】
また、本体内部に設けた送風装置及び発熱体からなる温風発生手段と、この温風発生手段からの温風を送出する送出ノズルと、前記送出ノズル下部に手挿入部と、前記手挿入部の奥側から下部に至る水受け部を有し、前記水受け部に親水性の表面処理をし、手から飛ばされた水滴が前記水受け部に付着した場合は親水性により水滴にならず、前記水受け部より再度飛びちることを防止でき、構造上の大きな変更はなく、コストをおさえることができる手乾燥装置が提供できる。
【００１７】
また、本体内部に設けた送風装置及び発熱体からなる温風発生手段と、この温風発生手段からの温風を送出する送出ノズルと、前記送出ノズル下部に手挿入部と、前記手挿入部の奥側から下部に至る水受け部を有し、前記水受け部の表面に吸水性ポリマーの付着処理をし、手から飛ばされた水滴が前記水受け部に付着した場合は吸水性ポリマーにより吸収され水滴にならず、前記水受け部より再度飛びちることを防止でき、構造上の大きな変更はなく、コストをおさえることができる手乾燥装置が提供できる。
【００１８】
また、手挿入部奥側の水受け部を親水性の表面処理をした鏡とし、鏡にうつった手の乾燥状態を確認することができる手乾燥装置が提供できる。
【発明を実施するための最良の形態】
【００１９】
本発明の請求項１記載の発明は、本体内部に設けた送風装置及び発熱体からなる温風発生手段と、この温風発生手段からの温風を送出する送出ノズルと、前記送出ノズル下部に手挿入部と、前記手挿入部の奥側から下部に至る水受け部を有し、前記水受け部表面の加工処理のみで大きな構造上の変更の必要が無く、手から飛ばされた水滴が前記水受け部に付着した後、前記水受け部より再度飛びちることを防止できるという作用を有する。
【００２０】
また、本体内部に設けた送風装置及び発熱体からなる温風発生手段と、この温風発生手段からの温風を送出する送出ノズルと、前記送出ノズル下部に手挿入部と、前記手挿入部の奥側から下部に至る水受け部を有し、前記水受け部に親水性の表面処理をし、手から飛ばされた水滴が前記水受け部に付着した場合は親水性により水滴にならず、前記水受け部より再度飛びちることを防止でき、構造上の大きな変更はなく、コストをおさえることができるという作用を有する。
【００２１】
また、本体内部に設けた送風装置及び発熱体からなる温風発生手段と、この温風発生手段からの温風を送出する送出ノズルと、前記送出ノズル下部に手挿入部と、前記手挿入部の奥側から下部に至る水受け部を有し、前記水受け部の表面に吸水性ポリマーの付着処理をし、手から飛ばされた水滴が前記水受け部に付着した場合は吸水性ポリマーにより吸収され水滴にならず、前記水受け部より再度飛びちることを防止でき、構造上の大きな変更はなく、コストをおさえることができるという作用を有する。
【００２２】
また、手挿入部奥側の水受け部を親水性の表面処理をした鏡とし、鏡にうつった手の乾燥状態を確認することができるという作用を有する。
【００２３】
以下、本発明の実施の形態について図面を参照しながら説明する。
【００２４】
（実施の形態１）
以下、本発明の実施の形態１について図面を参照しながら説明する。
【００２５】
図１に示すように、本体内部に設けた送風装置１及び発熱体２からなる温風発生手段３と、この温風発生手段３からの温風を送出する送出ノズル４と、前記送出ノズル４下部に手挿入部５と、前記手挿入部５の奥側から下部に至る水受け部６を有し、前記水受け部６に親水性の表面処理をした手乾燥装置７を構成する。
【００２６】
上記構成において、手から飛ばされた水滴が前記水受け部６に付着した場合は親水性により水滴にならず、前記水受け部６より再度飛びちることを防止でき、構造上の変更はなく、コストをおさえることができる。発熱体２としてはヒータ等がある。
【００２７】
なお、本実施の形態１では、送出ノズルが１個の手乾燥装置としているが、送出ノズルを複数設け、手の両面より吹出す手乾燥装置においても同様の作用効果をもたらすことは言うまでもない。
【００２８】
（実施の形態２）
以下、本発明の実施の形態１について図面を参照しながら説明する。
【００２９】
図２に示すように、本体内部に設けた送風装置１及び発熱体２からなる温風発生手段３と、この温風発生手段３からの温風を送出する送出ノズル４と、前記送出ノズル４下部に手挿入部５と、前記手挿入部５の奥側から下部に至る水受け部６を有し、前記水受け部６の表面に吸水性ポリマーの付着処理をした手乾燥装置７を構成する。
【００３０】
上記構成において、手から飛ばされた水滴が前記水受け部に付着した場合は吸水性ポリマーにより吸収され水滴にならず、前記水受け部６より再度飛び散ることを防止でき、構造上の変更はなく、コストをおさえることができる。
【００３１】
なお、本実施の形態１では、送出ノズルが１個の手乾燥装置としているが、送出ノズルを複数設け、手の両面より吹出す手乾燥装置においても同様の作用効果をもたらすことは言うまでもない。
【００３２】
（実施の形態３）
次に、本発明の実施の形態２について図面を参照しながら説明する。なお、実施の形態１と同一のものは同一番号を付し、その詳細な説明を省略する。
【００３３】
図３に示すように、本体内部に設けた送風装置１及び発熱体２からなる温風発生手段３と、この温風発生手段３からの温風を送出する送出ノズル４と、前記送出ノズル４下部に手挿入部５と、前記手挿入部５の奥側から下部に至る水受け部６を有し、前記水受け部６の奥側を親水性の表面処理をした親水性鏡８とした手乾燥装置７を構成する。温風発生手段３としては送風機にヒータを組み込んだもの等がある。
【００３４】
上記構成において、鏡にうつった手の乾燥状態を確認することができる。
【産業上の利用可能性】
【００３５】
水の飛び散りを防止することにより、水洗いした後の乾燥手法において、水の飛び散りを防止し、効率的な乾燥を行うことができる。
【図面の簡単な説明】
【００３６】
【図１】本発明の実施の形態１の手乾燥装置の構成を示す概略図
【図２】本発明の実施の形態２の手乾燥装置の構成を示す概略図
【図３】本発明の実施の形態３の手乾燥装置の構成を示す概略図
【図４】従来の手乾燥装置の構成を示す概略図
【符号の説明】
【００３７】
１    送風装置
２    発熱体
３    温風発生手段
４    送出ノズル
５    手挿入部
６    水受け部
７    手乾燥装置
８    親水性鏡
１０１  手乾燥装置
１０２  送風装置
１０３  発熱体
１０４  温風発生手段
１０５  送出ノズル
１０６  手挿入部
１０７  水受け部
１０８  吸引口
１０９  飛散防止駆動手段
【図１】
2006247019.tif 000003
【図２】
2006247019.tif 000004
【図３】
2006247019.tif 000005
【図４】
2006247019.tif 000006